(57)【要約】 【課題】  操作性の良いユーザインターフェースを有する画像処理装置を提供する。【解決手段】  実施形態によれば、画像処理装置は、表示部と、検知部と、宛先表示領域と、制御部とを有する。表示部は、操作画面を表示する。検知部は、表示部が表示する操作画面に対する操作指示を検知する。制御部は、登録済みの宛先を表示する宛先表示領域と、登録する宛先を入力するための入力画面を表示する宛先表示領域とは異なる宛先入力領域とを有する宛先設定画面を表示部により表示する。【選択図】図１
2020039185.tif 000002
【特許請求の範囲】
【請求項１】
操作画面を表示する表示部と、
前記表示部が表示する操作画面に対する操作指示を検知する検知部と、
登録済みの宛先を表示する宛先表示領域と、登録する宛先を入力するための入力画面を表示する前記宛先表示領域とは異なる宛先入力領域とを有する宛先設定画面を表示部により表示させ、前記宛先表示領域に表示した登録済みの宛先のうちの１つが選択された場合、前記選択された宛先が選択可能な表示部位が所定位置になるように前記宛先入力領域の表示を更新する制御部と、
を有する画像処理装置。
【請求項２】
前記宛先入力領域は、前記表示部の表示画面に向かって右側に配置する、
請求項１に記載の画像処理装置。
【発明の詳細な説明】
【技術分野】
【０００１】
本発明の実施形態は、画像処理装置に関する。
【背景技術】
【０００２】
従来、デジタル複合機などの画像処理装置は、ＦＡＸや電子メールの宛先をタッチパネル付きの表示部で行うものがある。従来のデジタル複合機は、送信前に宛先確認ボタンを押すことで登録済みの宛先を表示する機能がある。しかしながら、従来のデジタル複合機は、宛先確認ボタンを押さない限り、登録済みの宛先を表示できないという問題がある。
【先行技術文献】
【特許文献】
【０００３】
【特許文献１】特開２０１５−２１６５５３号公報
【発明の概要】
【発明が解決しようとする課題】
【０００４】
本発明が解決しようとする課題は、操作性の良いユーザインターフェースを有する画像処理装置を提供することにある。
【課題を解決するための手段】
【０００５】
実施形態によれば、画像処理装置は、表示部と、検知部と、宛先表示領域と、制御部とを有する。表示部は、操作画面を表示する。検知部は、表示部が表示する操作画面に対する操作指示を検知する。制御部は、登録済みの宛先を表示する宛先表示領域と、登録する宛先を入力するための入力画面を表示する宛先表示領域とは異なる宛先入力領域とを有する宛先設定画面を表示部により表示され、前記宛先表示領域に表示した登録済みの宛先のうちの１つが選択された場合、前記選択された宛先が選択可能な表示部位が所定位置になるように前記宛先入力領域の表示を更新する。
【図面の簡単な説明】
【０００６】
【図１】図１は、実施形態に係る画像処理装置の構成例を概略的に示すブロック図である。
【図２】図２は、実施形態に係る画像処理装置が表示するＦＡＸ用の宛先設定画面の表示例である。
【図３】図３は、実施形態に係る画像処理装置が表示するＥメール用の宛先設定画面の表示例である。
【図４】図４（ａ）は、実施形態に係る画像処理装置が表示するポップアップ画面の第１の表示例である。図４（ｂ）は、実施形態に係る画像処理装置が表示するポップアップ画面の第２の表示例である。
【図５】図５（ａ）及び（ｂ）は、実施形態に係る画像処理装置が表示する宛先設定画面の遷移を示す図である。
【図６】図６は、実施形態に係る画像処理装置におけるＦＡＸ処理の動作例を説明するためのフローチャートである。
【図７】図７は、実施形態に係る画像処理装置におけるメール送信処理の動作例を説明するためのフローチャートである。
【発明を実施するための形態】
【０００７】
以下、実施形態について図面を参照して詳細に説明する。  
まず、画像処理装置としてのＭＦＰ（デジタル複合機（Multi-Functional Peripheral）１の構成について説明する。  
図１は、ＭＦＰ１の構成例を説明するためのブロック図である。  
図１に示す構成例において、ＭＦＰ（デジタル複合機）１は、スキャナ１１、プリンタ１２、システム制御部１３、およびコントロールパネル１４を有する。また、図１に示す構成例において、スキャナ１１、プリンタ１２、およびコントロールパネル１４は、システム制御部１３に接続される。  
スキャナ１１は、原稿の画像を光学的に読み取って画像データに変換する装置である。スキャナ１１は、システム制御部１３から動作指示に応じて原稿のスキャンを実行する。スキャナ１１は、読み取った原稿の画像データをシステム制御部１３へ出力する。  
プリンタ１２は、被画像形成媒体としての用紙に画像を形成する。プリンタ１２は、システム制御部１３から指定される様々な印刷条件で、システム制御部１３から供給される画像データに基づく画像を用紙にプリントする。なお、プリンタ１２としては、様々な画像形成方式のプリンタが適用できる。例えば、プリンタ１２は、電子写真方式のプリンタであっても良いし、インクジェット方式あるいは熱転写方式などであっても良い。  
システム制御部１３は、ＭＦＰ１全体を統括的に制御する。システム制御部１３は、スキャナ１１、プリンタ１２、およびコントロールパネル１４などのＭＦＰ１の各部に接続する。システム制御部１３は、スキャナ１１、プリンタ１２、および、コントロールパネル１４と双方向に通信する。システム制御部１３は、スキャナ１１、プリンタ１２、およびコントロールパネル１４などの各部の動作を統括的に制御する。また、システム制御部１３は、画像処理などの各種の処理を行う機能を有する。
【０００８】
図１に示す構成例において、システム制御部１３は、プロセッサ３１、ＲＡＭ３２、ＲＯＭ３３、メモリ３４、画像メモリ３５、画像処理部３６、ＦＡＸ部３７、および、通信部３８などを有する。プロセッサ３１、ＲＡＭ３２、ＲＯＭ３３およびデータメモリ３４は、各部の制御および各種の処理を実行する処理部として機能する。  
プロセッサ３１は、制御部として機能する。プロセッサ３１は、プログラムに従って演算処理を実行する機能を有する。プロセッサ３１は、例えば、ＣＰＵである。プロセッサ３１は、ＲＯＭ３３あるいはデータメモリ３４が記憶するプログラムを実行することにより種々の処理機能を実現する。ＲＡＭ３２は、ワーキングメモリである。ＲＡＭ３２は、例えば、揮発性のメモリである。ＲＡＭ３２は、実行するプログラムを読み込んだり、バッファメモリとして機能したりする。ＲＯＭ３３は、プログラムメモリである。ＲＯＭ３３は、例えば、書換え不可の不揮発性メモリである。ＲＯＭ３３は、当該ＭＦＰ１に固有のプログラム及び設定データなどを記憶する。
【０００９】
データメモリ３４は、制御データ、制御プログラム、および、設定情報などを記憶する。データメモリ３４は、例えば、書換え可能な不揮発性のメモリである。データメモリ３４は、例えば、各種の動作モードにおけるデフォルト設定値なども記憶する。また、データメモリ３４は、宛先名及びＩＤなどに対応づけたＦＡＸ番号、或いはメールアドレスなどの宛先情報を記憶するアドレス帳３４ａを有する。また、アドレス帳３４ａは、良く使う宛先をお気に入りとして保存する。また、アドレス帳３４ａは、ユーザ毎に設けても良いし、ＭＦＰ毎に設けても良いし、グループ毎に設けても良い。  
なお、アドレス帳３４ａは、ＭＦＰ１が通信可能な外部装置のメモリに保存しても良い。例えば、アドレス帳３４ａは、通信部３８を介して通信可能なサーバ装置のメモリに設けても良いし、通信部３８を介して通信可能な他のＭＦＰのメモリに設けても良い。
【００１０】
画像メモリ３５は、ハードディクスドライブおよびページメモリなどにより構成を有する。画像メモリ３５は、画像データを記憶する。画像処理部３６は、画像データに対する画像処理を行う。  
ＦＡＸ部３７は、ファクシミリ通信を行うためのＦＡＸインターフェースである。ＦＡＸ部３７は、プロセッサ３１により設定されるＦＡＸ番号にデータをＦＡＸ送信する。通信部３８は、インターネット等のネットワークを介して、外部装置とデータ通信を行うためのネットワークインターフェースである。通信部３８は、プロセッサ３１に設定されるアドレスにデータを送信する。
【００１１】
コントロールパネル１４は、ユーザインターフェースである。コントロールパネル１４は、ユーザに対する案内を表示したり、ユーザによる操作指示を受け付けたりする。図１に示す構成例において、コントロールパネル１４は、プロセッサ４１、ＲＡＭ４２、ＲＯＭ４３、表示部４４、タッチパネル４５、および、外部インターフェース（Ｉ／Ｆ）４６を有する。  
プロセッサ４１は、コントロールパネル１４を制御する。プロセッサ４１は、プログラムを実行する演算回路である。プロセッサ４１は、例えば、ＣＰＵである。プロセッサ４１は、ＲＯＭ４３に記憶したプログラムを実行することにより種々の処理機能を実現する。プロセッサ４１は、コントロールパネル１４の各部に入力された情報をシステム制御部１３へ供給する。また、プロセッサ４１は、システム制御部１３からの制御信号に応じてコントロールパネル１４の各部を制御する。  
ＲＡＭ４２は、ワーキングメモリである。ＲＡＭ４２は、例えば、揮発性のメモリである。ＲＯＭ４３は、不揮発性のプログラムメモリである。ＲＯＭ４３は、書換え可能な不揮発性のメモリで構成されることにより、プログラム、制御データ、設定情報および表示データなどを更新できるようにしても良い。  
表示部４４は、操作画面および操作案内などを表示する。表示部４４は、例えば、液晶表示装置である。表示部４４は、表示画面上にタッチパネル４５を有する。タッチパネル４５は、操作部として機能する。タッチパネル４５は、表示部４４の表示画面上においてユーザがタッチした部位を検知する。タッチパネル４５は、ユーザがタッチした位置を示す情報を検知信号としてプロセッサ４１へ供給する。
【００１２】
プロセッサ４１は、表示部４４に表示する画面を制御する。プロセッサ４１は、システム制御部１３から指示に応じて各種の操作画面を表示部４４に表示する。また、プロセッサ４１は、タッチパネル４５による検知信号により表示部４４の表示画面にユーザが入力（タッチ）した位置を特定する。例えば、プロセッサ４１は、表示部４４に表示したアイコンの表示位置とタッチパネル４５が検知するユーザのタッチ位置とに基づいてユーザが入力したボタン（アイコン）を特定する。プロセッサ４１は、検知した指示内容を示す情報をシステム制御部１３のプロセッサ３１へ供給する。また、プロセッサ４１は、タッチパネル４５が検知するユーザによる表示画面へタッチ操作（タッチ位置の移動距離や移動速度などのタッチ状態）に応じて操作指示の内容を検知するようにしても良い。  
外部Ｉ／Ｆ４６は、外部機器を接続するためのインターフェースである。外部Ｉ／Ｆ４６は、ＵＳＢ（ユニバーサルシリアルバス）などの汎用の規格に準じたインターフェースとして構成できる。例えば、外部Ｉ／Ｆ４６は、可搬型の記憶装置を接続する。また、外部Ｉ／Ｆ４６は、テンキー或いは可搬型のキーボードなどを接続しても良い。  
なお、コントロールパネル１４は、ハードキーを具備しても良い。例えば、コントロールパネル１４は、テンキー、或いは、スキャン処理等の処理を指示するためのボタンなどを具備しても良い。
【００１３】
次に、実施形態に係るＭＦＰ１のコントロールパネル１４の表示部４４が表示する操作画面の例について説明する。  
まず、ＦＡＸ用の宛先設定画面について説明する。  
図２は、ＭＦＰ１のＦＡＸモードにおいて表示部４４が表示するＦＡＸ用の宛先設定画面Ｄａの表示例である。  
宛先設定画面Ｄａは、ＦＡＸモードにおいて、ＦＡＸの送信先（宛先）を設定するための操作画面である。宛先設定画面Ｄａは、案内表示領域Ｒ１、宛先表示領域Ｒ２、宛先入力領域Ｒ３、及び操作ボタン領域Ｒ４を有する。案内表示領域Ｒ１は、表示部４４が表示する宛先設定画面Ｄａの表示領域における上部の領域である。宛先表示領域Ｒ２は、宛先設定画面Ｄａの表示領域において画面に向かって左側の領域である。宛先入力領域Ｒ３は、宛先設定画面Ｄａの表示領域において画面に向かって右側の領域である。操作ボタン領域Ｒ４は、宛先設定画面Ｄａの表示領域における下部の領域である。
【００１４】
案内表示領域Ｒ１は、操作案内を表示する。案内表示領域Ｒ１は、操作案内を表示するだけでなく、操作ボタンなどを表示しても良い。例えば、図２に示す案内表示領域Ｒ１には、モニタボタン５１が表示される。モニタボタン５１は、ＦＡＸのオンフック送信を指示するボタンである。  
宛先表示領域Ｒ２は、登録（選択）済みの宛先を示す情報を表示する。図２に示すＦＡＸ用の宛先設定画面は、宛先表示領域Ｒ２に登録欄６１と表示欄６２とを有する。登録欄６１は、登録済みの宛先を表示する。登録欄６１は、例えば、登録済みの宛先を示す情報をリスト形式で一覧表示する。登録欄６１は、宛先の登録及び削除に応じて表示が更新される。登録欄６１に表示した各宛先は、表示部位をタッチすることにより選択可能である。また、登録欄６１の表示内容は、スクロールキーへの操作に応じて変更される。表示欄６２は、登録済みの宛先の数を表示する。表示欄６２は、登録済みの宛先の数の増減に応じて表示が更新される。  
宛先入力領域Ｒ３は、宛先を選択するための操作画面を表示する。宛先入力領域Ｒ３は、ボタン（アイコン）形式の宛先選択画面、リスト形式の宛先選択画面、或いは、番号（数字）入力画面の何れかを表示する。宛先入力領域Ｒ３に表示する画面については、後で詳細に説明する。
【００１５】
操作ボタン領域Ｒ４は、各種の操作ボタンを表示する。図２に示す例では、操作ボタン領域Ｒ４は、全削除ボタン８１、サイズボタン８２、解像度ボタン８３、オプションボタン８４、プレビューボタン８５、及び送信ボタン８６を表示する。  
全削除（Clear All Dest.）ボタン８１は、登録済みの宛先を全て削除することを指示するボタンである。サイズ（Folio）ボタン８２は、画像のサイズを指示するボタンである。解像度（U-fine）ボタン８３は、画像の解像度を指示するボタンである。オプション（Option）ボタン８４は、オプション設定を指示するボタンである。プレビュー（Preview）ボタン８５は、画像のプレビュー表示を指示するボタンである。送信（Send）ボタン８６は、送信処理の開始を指示するボタンである。送信ボタン８６は、少なくとも１つの宛先が設定された場合に選択可能な状態で表示される。
【００１６】
図２に示す例において、宛先入力領域Ｒ３は、表示する画面を選択する３つのタブ７１ａ、７１ｂ、７１ｃ、マーク７１ｍ、選択ボタン７２ａ、７２ｃ、入力欄７３、宛先ボタン７３ａ、７３ｂ、７３ｃ、…、条件タブ７４ａ、７４ｂ、…、検索ボタン７５などを表示する。  
３つのタブ７１ａ、７１ｂ、７１ｃは、宛先を入力するための入力画面を選択するボタンである。第１タブ７１ａは、個人毎の宛先を選択するための宛先選択画面の表示を指示するタブキーである。第２タブ７１ｂは、グループ単位での宛先を選択するための宛先選択画面の表示を指示するタブキーである。第３タブ７１ｃは、ＦＡＸの宛先（ＦＡＸ番号）を直接入力するための直接入力画面（番号入力画面）の表示を指示するタブキーである。マーク７１ｍは、３つのタブ７１ａ、７１ｂ、７１ｃのうち選択中であるタブを示す。図２に示す例では、マーク７１ｍは、第１タブ７１ａに表示され、第１タブ７１ａが選択中であることを示す。  
選択ボタン７２ａと選択ボタン７２ｂとは、第１タブ７１ａ又は第２タブ７１ｂが選択状態である場合に表示される。選択ボタン７２ａは、ボタン（アイコン）形式で宛先選択画面を表示することを指示するボタンである。選択ボタン７２ｂは、リスト形式で宛先選択画面を表示することを指示するボタンである。ここでは、図２を参照して、第１タブ７１ａが選択された場合の宛先設定画面Ｄａについて説明する。第２タブ７１ｂが選択された場合の宛先設定画面は、宛先がグループ単位となる以外は第１タブ７１ａが選択された場合の宛先設定画面と同様な構成で実現できるものとする。
【００１７】
図２に示すボタン形式の宛先選択画面は、入力欄７３に各宛先に対応する宛先ボタン（アイコン）７３ａ、７３ｂ、…を配置する。入力欄７３は、各宛先ボタン７３ａ、７３ｂ、…を並べて配置する領域である。入力欄７３に配置される宛先ボタン７３ａ、７３ｂ、…は、それぞれアドレス帳３４ａに登録されている宛先に対応する。各宛先ボタン７３ａ、７３ｂ、…は、宛先を示す情報（例えば、宛先名）が表示される。  
各宛先ボタン７３ａ、７３ｂ、…は、タッチパネル４５により選択可能である。各宛先ボタン７３ａ、７３ｂ、…は、タッチ（指示）される毎に表示状態が変化する。例えば、各宛先ボタン７３ａ、７３ｂ、…は、選択状態又は非選択状態の何れかを示す表示状態で表示される。非選択状態の宛先ボタン７３ａ、７３ｂ、…は、ユーザにタッチ（指示）されると、表示状態が選択状態（例えば、反転表示又は所定色での表示）となる。また、選択状態となった宛先ボタンに対応する宛先は、登録された状態（登録済み）となり、宛先表示領域Ｒ２に表示される。また、選択状態の宛先ボタン７３ａ、７３ｂ、…は、ユーザに指示されると、表示状態が非選択状態となる。非選択状態となった宛先ボタンに対応する宛先は、登録済みの宛先から削除され、宛先表示領域Ｒ２の表示から削除される。
【００１８】
また、図２に示す宛先選択画面は、実際に宛先入力領域Ｒ３に表示する宛先を絞り込むための条件タブ７４ａ、７４ｂ、７４ｃ、…を有する。条件タブ７４ａは、良く使う宛先（お気に入り）として設定されている宛先の宛先ボタンを表示することを指示するタブキーである。また、条件タブ７４ａが選択された場合、お気に入りに設定されている各宛先の宛先ボタンを表示する順番は、ユーザが設定できるようにして良い。例えば、各宛先のボタンは、ユーザが予め設定した順番に並べて表示するようにしても良いし、使用頻度の高い順番に並べて表示しても良いし、過去の利用時間順に並べて表示しても良い。  
条件タブ７４ｂは、アドレス帳３４ａに登録されている宛先名の頭文字がアルファベット順になるように各宛先の宛先ボタンを表示することを指示するタブキーである。また、条件タブ７４ｂが選択された場合、領域Ｒ３には、アドレス帳３４ａに登録されている全宛先のボタンがＩＤ（ＩＤ番号）の順に表示されるようにしても良い。条件タブ７４ｃ、…は、アドレス帳３４ａに登録されている宛先名の頭文字によって表示する宛先のボタンを絞り込むことを指示するタブキーである。例えば、「ＡＢＣ」と表示される条件タブ７４ｃが選択された場合、宛先名の頭文字が「Ａ」、「Ｂ」、又は「Ｃ」である宛先に対応する宛先ボタンが表示される。  
さらに、図２に示す宛先入力領域Ｒ３は、検索ボタン７５を表示する。検索ボタン７５は、表示する宛先を絞り込む（検索する）ための条件の入力を指示するボタンである。検索ボタン７５が指示されると、宛先設定画面Ｄａには、検索条件の入力画面が表示される。検索条件の入力画面において入力された検索条件で宛先の検索を実行した後、宛先入力領域Ｒ３の入力欄７３は、検索条件で絞り込んだ宛先の宛先ボタンを表示する。
【００１９】
また、選択ボタン７２ｂが選択された場合、宛先入力領域Ｒ３は、リスト形式の宛先選択画面を表示する。リスト形式の宛先選択画面は、アドレス帳に登録されている宛先を示す情報をリストで表示する。リストは、例えば、各宛先を表形式で表示する。各宛先の表示部位は、タッチパネル４５により選択可能である。タッチされた宛先の表示部位は、選択状態を示す表示（例えば、反転表示又は所定色での表示）となる。選択状態となった部位に表示されている宛先は、宛先として選択（登録）された状態となり、宛先表示領域Ｒ２に表示される。また、選択状態の部位がタッチされると、当該部位は、非選択状態となる。非選択状態となった部位に表示されている宛先は、宛先から削除され、宛先表示領域Ｒ２の表示からも削除される。また、リスト形式の宛先選択画面においても、宛先入力領域Ｒ３にはリストで表示する宛先を絞り込むための図２と同様な条件タブ７４ａ、７４ｂ、７４ｃ、…が表示される。
【００２０】
次に、Ｅメール送信用の宛先設定画面について説明する。  
図３は、ＭＦＰ１の表示部４４が表示するＥメール用の宛先設定画面Ｄｂの表示例である。  
図３に示す宛先設定画面Ｄｂは、スキャンｔｏＥメールの機能（スキャンした画像をメール送信する機能）において、宛先を設定するための操作画面である。図３に示す宛先設定画面は、案内表示領域Ｒ１、宛先表示領域Ｒ２、宛先入力領域Ｒ３、及び操作ボタン領域Ｒ４を有する。案内表示領域Ｒ１は、表示部４４の表示領域における上部の領域である。宛先表示領域Ｒ２は、表示部４４の表示領域における画面に向かって左側の領域である。宛先入力領域Ｒ３は、表示部４４の表示領域における画面に向かって右側の領域である。操作ボタン領域Ｒ４は、表示部４４の表示領域における下部の領域である。  
案内表示領域Ｒ１は、操作案内を表示する。宛先表示領域Ｒ２は、登録（選択）済みの宛先を示す情報を表示する。宛先入力領域Ｒ３は、宛先を選択するための操作画面を表示する。宛先入力領域Ｒ３は、ボタン（アイコン）形式の宛先選択画面、リスト形式の宛先選択画面、或いは、直接入力画面の何れかを表示する。
【００２１】
図３に示す例において、宛先表示領域Ｒ２は、登録欄６１、表示欄６２、Ｔｏタブ６３ａ、Ｃｃタブ６３ｂ、Ｂｃｃタブ６３ｃ、及び全宛先削除（Clear All Dest.）ボタン８１を有する。また、Ｔｏタブ６３ａ、Ｃｃタブ６３ｂ、Ｂｃｃタブ６３ｃのうち選択中のタブには、マーク６３ｍが表示される。マーク６３ｍは、選択中のタブを強調表示するものであればよい。登録欄６１は、登録済みの宛先をリスト形式で表示する。表示欄６２は、Ｔｏ、Ｃｃ、Ｂｃｃの宛先として登録済みの宛先の総数を示す。また、全宛先削除ボタン８１は、登録されている全ての宛先を削除することを指示するボタンである。  
Ｔｏタブ６３ａ、Ｃｃタブ６３ｂ、及びＢｃｃタブ６３ｃは、電子メールの運用ルールに従って宛先をカテゴリ毎に分類するためのボタンである。Ｔｏタブ６３ａ、Ｃｃタブ６３ｂ、及びＢｃｃタブ６３ｃの３つのタブは、常に何れかが選択状態となる。  
Ｔｏタブ６３ａは、第１のカテゴリとしての主たる送信先（以下、Ｔｏの宛先と称する）として登録した宛先を表示することを指示するボタンである。Ｔｏタブ６３ａが選択中である場合、登録欄６１はＴｏの宛先に登録された宛先を表示する。Ｔｏタブ６３ａが選択中である場合、表示欄６２はＴｏの宛先に登録された宛先の数を表示するようにしても良い。Ｃｃタブ６３ｂは、第２のカテゴリとしての複写（カーボンコピー）の送信先（以下、Ｃｃの宛先と称する）としての登録した宛先を表示することを指示するボタンである。Ｃｃタブ６３ｂが選択中である場合、登録欄６１はＣｃの宛先に登録された宛先を表示する。Ｃｃタブ６３ｂが選択中である場合、表示欄６２はＣｃの宛先に登録された宛先の数を表示するようにしても良い。Ｂｃｃタブ６３ｃは、第３のカテゴリとしての非公開の複写（ブラックカーボンコピー）の送信先（以下、Ｂｃｃの宛先と称する）として登録した宛先を表示することを指示するボタンである。Ｂｃｃタブ６３ｃが選択中である場合、登録欄６１はＢｃｃの宛先に登録された宛先を表示する。Ｂｃｃタブ６３ｃが選択中である場合、表示欄６２はＢｃｃの宛先に登録された宛先の数を表示するようにしても良い。
【００２２】
操作ボタン領域Ｒ４は、各種の操作ボタンを表示する。図３に示す例では、詳細情報ボタン９１、送信ボタン９２、リセットボタン９３、キャンセルボタン９４、及びＯＫボタン９５が表示される。詳細情報ボタン９１は、詳細情報の表示を指示するボタンである。送信ボタン９２は、登録済みの宛先へのメール送信の開始を指示するボタンである。送信ボタン９２は、少なくとも１つの宛先が設定された場合に選択可能な状態で表示される。リセットボタン９３は、設定内容のリセットを指示する。キャンセルボタン９４は、処理の中止を指示する。ＯＫボタン９５は、アドレス設定の終了を指示する。  
次に、宛先選択画面において登録欄６１に表示した宛先が指示された場合の表示例について説明する。  
図４（ａ）及び図４（ａ）は、登録欄６１に表示した宛先が指示された場合に表示するポップアップ画面Ｐａ、Ｐｂの表示例である。  
図４（ａ）は、ＦＡＸ用の宛先設定画面Ｄａにおけるポップアップ画面Ｐａの例である。図４（ｂ）は、メール用の宛先設定画面Ｄｂにおけるポップアップ画面Ｐｂの例である。ポップアップ画面Ｐａ、Ｐｂは、登録欄６１で指示された宛先の状態を変更するための入力画面である。ポップアップ画面Ｐａは、ＦＡＸ用の宛先設定画面Ｄａの登録欄６１に表示した宛先の表示部位がタッチされた場合に表示される。ポップアップ画面Ｐｂは、メール用の宛先設定画面Ｄｂの登録欄６１に表示した宛先の表示部位がタッチされた場合に表示される。  
図４（ａ）に示す例において、ポップアップ画面Ｐａは、案内部Ｐａ１、宛先表示部Ｐａ２、クリアボタンＰａ３、及びＯＫボタンＰａ４を有する。案内部Ｐａ１は、操作案内を表示する。宛先表示部Ｐａ２は、選択されている宛先を示す情報を表示する。例えば、宛先表示部Ｐａ２は、宛先名、宛先ＩＤ、宛先の種別を示す種別アイコン、登録済みの総宛先数を有する。クリアボタンＰａ３は、当該宛先に対する登録状態を解除することを指示する。ＯＫボタンＰａ４は、ポップアップ画面Ｐａを閉じることを指示するボタンである。ポップアップ画面Ｐａを閉じた場合、表示部４４は、ポップアップ画面Ｐａ中で指示した変更内容が反映された宛先設定画面Ｄａを表示する。
【００２３】
また、図４（ｂ）に示す例において、ポップアップ画面Ｐｂは、案内部Ｐｂ１、宛先表示部Ｐｂ２、クリアボタンＰｂ３、ＯＫボタンＰｂ４、ＴｏボタンＰｂ５、ＣｃボタンＰｂ６、ＢｃｃボタンＰｂ７を有する。案内部Ｐｂ１は、操作案内を表示する。宛先表示部Ｐｂ２は、選択されている宛先を示す情報を表示する。例えば、宛先表示部Ｐｂ２は、宛先名、宛先ＩＤ、宛先の種別を示す種別アイコン、登録済みに総宛先数などを表示する。クリアボタンＰｂ３は、当該宛先に対する宛先の登録状態を解除することを指示する。ＯＫボタンＰｂ４は、ポップアップ画面Ｐｂを閉じることを指示するボタンである。また、ポップアップ画面Ｐｂを閉じた場合、表示部４４は、ポップアップ画面中で指示した変更内容が反映された宛先設定画面Ｄｂを表示する。  
ＴｏボタンＰｂ５、ＣｃボタンＰｂ６、及びＢｃｃボタンＰｂ７は、宛先のカテゴリを変更又は追加することを指示するボタンである。ＴｏボタンＰｂ５は、宛先のカテゴリをＴｏの宛先に変更又は追加することを指示するボタンである。ＣｃボタンＰｂ６は、宛先のカテゴリをＣｃの宛先に変更又は追加することを指示するボタンである。ＢｃｃボタンＰｂ７は、宛先のカテゴリをＢｃｃの宛先に変更又は追加することを指示するボタンである。ＴｏボタンＰｂ５、ＣｃボタンＰｂ６、ＢｃｃボタンＰｂ７のうち当該宛先に現在登録されているカテゴリと同一のボタンは選択できない状態で表示するようにして良い。例えば、宛先表示部Ｐｂ２に表示する宛先がＴｏの宛先に登録されている状態であれば、ＴｏボタンＰｂ５は選択できない状態で表示する（又は表示しない）ようにして良い。
【００２４】
また、登録欄６１に表示した宛先が指示された場合、入力欄７３は、指示された宛先の表示位置を変更するようにしても良い。  
図５（ａ）及び図５（ｂ）は、宛先設定画面における表示状態の遷移を示す表示例である。  
図５（ａ）は、ＦＡＸ用の宛先設定画面の登録欄６１において指示される１つの宛先を示す図である。図５（ｂ）は、図５（ａ）に示す宛先が指示された後のＦＡＸ用の宛先設定画面の表示状態を示す図である。  
図５（ａ）及び（ｂ）に示す例では、宛先設定画面は、登録欄６１に表示した宛先が指示された場合、指示された宛先の入力欄における表示位置を変更する。図５（ａ）は、登録欄６１に表示した宛先の表示部位にタッチしたことを示す。図５（ｂ）は、登録欄６１でタッチ（指示）された宛先に対応する宛先ボタンの入力欄７３における表示位置を移動させた状態を示す。図５（ｂ）に示す例では、登録欄６１で指示された宛先に対応する宛先ボタンが、入力欄７３における左上の表示位置に移動した状態を示す。また、入力欄７３では、各宛先ボタンの並び順序を変えずに、指示された宛先の宛先ボタンを所定の表示位置に移動させるようにしても良い。また、入力欄７３では、指示された宛先の宛先ボタンのみを所定の表示位置に移動させるようにしても良い。
【００２５】
すなわち、実施形態に係るＭＦＰ１は、宛先表示領域Ｒ２での宛先の指示に応じて、宛先入力領域Ｒ３における宛先ボタン（又はリスト中の宛先の表示部位）の表示位置を移動させる。登録欄６１で指示された宛先に対応する宛先ボタンが入力欄において視認し易い位置に移動できれば、ユーザの操作性が向上する。例えば、入力欄７３の右上が視認し易い表示位置であれば、登録欄で指示された宛先の宛先ボタンを入力欄の右上に表示することにより、操作性が向上する。  
なお、Ｅメール用の宛先選択画面も、上記同様に、登録欄６１で指示された宛先の宛先ボタン（又はリスト中の宛先の表示部位）の表示位置を変更するようにして良い。また、宛先選択画面についても、宛先ボタン（又はリスト中の宛先の表示部位）の表示位置に移動させるとともにポップアップ画面Ｐｂを表示するようにして良い。
【００２６】
次に、ＭＦＰ１におけるＦＡＸモードでの動作について説明する。  
図６は、ＭＦＰ１におけるＦＡＸモードでの宛先設定処理を含む動作の例を説明するためのフローチャートである。  
システム制御部１３のプロセッサ３１は、待機状態において、コントロールパネル１４の表示部４４にメインメニュー画面を表示する。メインメニュー画面は、ＦＡＸモードを含む各種の処理モードが選択できる操作画面である。ＦＡＸモードが指定された場合（ＡＣＴ１１、ＹＥＳ）、プロセッサ３１は、表示部４４にＦＡＸの宛先を設定する宛先設定画面を表示する（ＡＣＴ１２）。ＦＡＸモードが選択された場合に、最初に表示する画面は、初期画面の設定として設定できる。一例として、宛先入力領域Ｒ３に選択可能な宛先ボタンを配置した入力欄７３を有するＦＡＸ用の宛先設定画面Ｄａが初期画面として設定されているものとして説明する。
【００２７】
宛先設定画面Ｄａを表示した状態において、プロセッサ３１は、タッチパネル４５により検知する画面上への各種の操作指示を受け付ける。宛先入力領域Ｒ３の入力欄７３において１つの宛先の表示部位（ボタン）が指示されると（ＡＣＴ１３、ＹＥＳ）、プロセッサ３１は、指示された宛先が登録（選択）済みか否かを判断する（ＡＣＴ１４）。  
未登録（非選択）の宛先が指示されたと判断した場合（ＡＣＴ１４、ＹＥＳ）、プロセッサ３１は、指示された宛先の表示部位を登録済みであることを示す表示状態とする（ＡＣＴ１５）。未登録の宛先が指示された場合、プロセッサ３１は、登録済みの宛先として宛先表示領域Ｒ２に表示する（ＡＣＴ１６）。例えば、プロセッサ３１は、指示された宛先を示す情報を登録欄６１に表示し、表示欄６２が表示する宛先の数をカウントアップする。  
登録済みの宛先が指示されたと判断した場合（ＡＣＴ１４、ＮＯ）、プロセッサ３１は、当該宛先の登録を解除する。指示された宛先の登録を解除する場合、プロセッサ３１は、宛先表示領域Ｒ２における当該宛先の表示部位を未登録（非選択）であることを示す表示状態とする（ＡＣＴ１７）。また、プロセッサ３１は、宛先表示領域Ｒ２の表示を登録解除する宛先を削除した表示に更新する（ＡＣＴ１８）。プロセッサ３１は、登録欄６１における当該宛先の表示を削除し、表示欄６２が表示する宛先の数を当該登録解除した宛先分を減算した数に更新する。
【００２８】
また、プロセッサ３１は、登録欄６１に表示した各宛先の表示部位への指示をタッチパネル４５の検知信号により検出する（ＡＣＴ１９）。登録欄６１に表示する１つの宛先が指示された場合（ＡＣＴ１９、ＹＥＳ）、プロセッサ３１は、入力欄７３の表示を更新する（ＡＣＴ２０）。プロセッサ３１は、指示された宛先の表示位置が所定の位置になるように入力欄７３における各宛先の表示位置を変更する。  
また、登録欄６１に表示する宛先が指示された場合、プロセッサ３１は、指示された宛先に関するポップアップ画面を表示する（ＡＣＴ２１）。ポップアップ画面は、指示された宛先に関する情報を表示する共に、指示された宛先に対する状態の変更を指示する操作画面である。ポップアップ画面を表示すると、プロセッサ３１は、ポップアップ画面における操作指示を受け付ける（ＡＣＴ２２）。例えば、プロセッサ３１は、ＦＡＸ用の宛先設定画面上に表示するポップアップ画面において当該宛先の削除指示を受け付ける。  
ポップアップ画面において状態の変更が指示された場合（ＡＣＴ２２、ＹＥＳ）、プロセッサ３１は、指示に応じて宛先の状態を変更する（ＡＣＴ２３）。例えば、ポップアップ画面において削除が指示された場合、プロセッサ３１は、当該宛先の登録状態を解除し、未登録の状態とする。また、ポップアップ画面を閉じることが指示された場合（ＡＣＴ２４、ＹＥＳ）、プロセッサ３１は、ポップアップ画面を閉じて、宛先設定画面を表示する（ＡＣＴ２５）。ポップアップ画面を閉じる場合、プロセッサ３１は、ポップアップ画面で指示された内容を反映した宛先設定画面を表示する。
【００２９】
また、プロセッサ３１は、宛先設定画面において画面更新の指示を受け付ける（ＡＣＴ２６）。画面更新の指示を受けた場合（ＡＣＴ２６、ＹＥＳ）、プロセッサ３１は、指示に応じて宛先設定画面の表示を更新する（ＡＣＴ２７）。例えば、タブ７１ａ〜７１ｃの選択状態が変更された場合、プロセッサ３１は、入力欄７３の表示画面を変更する。また、選択ボタン７２ａ及び７２ｂの選択状態が変更された場合、プロセッサ３１は、入力欄７３における宛先の表示形式を変更する。また、条件タブの選択状態が変更された場合、プロセッサ３１は、入力欄７３に表示する宛先を変更する。  
また、プロセッサ３１は、宛先設定画面において送信ボタン８６による送信指示を受け付ける（ＡＣＴ２８）。プロセッサ３１は、少なくとも１つの宛先が設定された場合に送信ボタン８６を選択可能な状態で表示される。送信ボタン８６が指示された場合（ＡＣＴ２８、ＹＥＳ）、プロセッサ３１は、登録済みの宛先へＦＡＸを送信する処理を実行する（ＡＣＴ２９）。例えば、プロセッサ３１は、送信ボタン８６が指示された場合、直にスキャン及びＦＡＸ送信を開始する。また、プロセッサ３１は、送信ボタン８６の指示に応じて宛先確認画面を表示し、表示した宛先の確認が指示された後に処理を開始するようにしても良い。送信ボタン８６が指示された場合の動作は、ユーザが設定できるようにして良い。
【００３０】
次に、ＭＦＰ１におけるＥメールの送信処理について説明する。  
図７は、ＭＦＰ１におけるＥメールの送信処理における宛先設定処理を含む動作の例を説明するためのフローチャートである。  
システム制御部１３のプロセッサ３１は、待機状態において、コントロールパネル１４の表示部４４にメインメニュー画面を表示する。メインメニュー画面は、スキャンモードを含む各種の処理モードが選択できる操作画面である。スキャンモードが指定された場合、プロセッサ３１は、スキャンメニューを表示部４４に表示する。例えば、スキャンメニューは、スキャンｔｏＥメール、スキャンｔｏファイル、スキャンｔｏｅ−ファイリング、スキャンｔｏＵＳＢメモリなどの機能の何れかが選択できる。なお、スキャンｔｏＥメールは、スキャンした画像をメール送信する機能である。スキャンｔｏファイルは、スキャンした画像をファイルに保存する機能である。スキャンｔｏｅ−ファイリングは、スキャンした画像をＭＦＰ内のメモリに保存する機能する。スキャンｔｏＵＳＢメモリは、スキャンした画像を外部Ｉ／Ｆ４６に接続した外部メモリに保存する機能である。以下、スキャンｔｏＥメールが選択された場合の動作例を想定して説明するものとする。
【００３１】
Ｅメール送信処理が選択された場合（ＡＣＴ４１、ＹＥＳ）、プロセッサ３１は、表示部４４にメールの宛先を設定する宛先設定画面を表示する（ＡＣＴ４２）。メールの宛先設定を行う場合、最初に表示する画面は、初期画面の設定として設定できる。ここでは、一例として、宛先入力領域Ｒ３に選択可能な各宛先のボタンを表示する入力欄７３を有するＥメール用の宛先設定画面Ｄｂが初期画面として設定されているものとして説明する。
宛先設定画面Ｄｂを表示した状態において、プロセッサ３１は、タッチパネル４５により検知する画面上への各種の操作指示を受け付ける。宛先入力領域Ｒ３の入力欄７３において１つの宛先の表示部位（ボタン）が指示されると（ＡＣＴ４３、ＹＥＳ）、プロセッサ３１は、指示された宛先が登録済みか否かを判断する（ＡＣＴ４４）。  
未登録（非選択）の宛先が指示されたと判断した場合（ＡＣＴ４４、ＹＥＳ）、プロセッサ３１は、指示された宛先を登録する。メールの宛先は、Ｔｏ、Ｃｃ、Ｂｃｃのカテゴリがある。これらの宛先に対するカテゴリは、宛先表示領域Ｒ２のタブにより選択する。プロセッサ３１は、入力欄７３で未登録の宛先が指示されると、指示された宛先を表示領域Ｒ２で選択状態であるタブのカテゴリに登録する。例えば、宛先表示領域Ｒ２でＴｏタブ６３ａが選択状態であれば、プロセッサ３１は、指示された宛先をＴｏの宛先として登録する。また、Ｃｃタブ６３ｂが選択状態であれば、プロセッサ３１は、指示された宛先をＣｃの宛先として登録する。また、Ｂｃｃタブ６３ｃが選択状態であれば、プロセッサ３１は、指示された宛先をＢｃｃの宛先として登録する。
【００３２】
指示された宛先を登録する場合、プロセッサ３１は、入力欄７３において指示された宛先の表示部位を登録済みであることを示す表示状態とする（ＡＣＴ４５）。また、プロセッサ３１は、宛先表示領域Ｒ２の表示を指示された宛先が登録されたことを示す表示に更新する（ＡＣＴ４６）。プロセッサ３１は、指示された宛先を示す情報を登録欄６１に表示し、表示欄６２が表示する宛先の数を登録した宛先を加算した数に更新する。登録欄６１は、指示された宛先が選択中のタブが示すカテゴリに登録されたことを示す。表示欄６２は、選択中のタブが示すカテゴリの宛先として登録された宛先の総数を示す。
【００３３】
また、登録済み（選択済み）の宛先が指示されたと判断した場合（ＡＣＴ４４、ＮＯ）、プロセッサ３１は、表示領域Ｒ２で選択状態であるタブのカテゴリにおいて、指示された宛先の登録を解除する。例えば、宛先表示領域Ｒ２でＴｏタブ６３ａが選択状態であれば、プロセッサ３１は、指示された宛先をＴｏの宛先から削除する。また、Ｃｃタブ６３ｂが選択状態であれば、プロセッサ３１は、指示された宛先をＣｃの宛先から削除する。また、Ｂｃｃタブ６３ｃが選択状態であれば、プロセッサ３１は、指示された宛先をＢｃｃの宛先から削除する。  
指示された宛先の登録を解除する場合、プロセッサ３１は、入力欄７３における指示された宛先の表示部位を未登録（非選択）であることを示す表示状態とする（ＡＣＴ４７）。また、プロセッサ３１は、宛先表示領域Ｒ２の表示を指示された宛先の登録を解除したものに更新する（ＡＣＴ４８）。プロセッサ３１は、指示された宛先を示す情報を登録欄６１の表示から削除し、表示欄６２が表示する宛先の数を登録解除した宛先分を減算した数に更新する。  
また、プロセッサ３１は、登録欄６１に表示した各宛先の表示部位への指示をタッチパネル４５の検知信号により検出する（ＡＣＴ４９）。登録欄６１に表示する１つの宛先が指示された場合（ＡＣＴ４９、ＹＥＳ）、プロセッサ３１は、入力欄７３における指示された宛先の表示位置を更新する（ＡＣＴ５０）。例えば、プロセッサ３１は、指示された宛先の表示位置が所定の位置になるように各宛先の表示位置を変更する。また、登録欄６１に表示する宛先が指示された場合、プロセッサ３１は、指示された宛先に関するポップアップ画面を表示する（ＡＣＴ５１）。ポップアップ画面は、指示された宛先に関する情報を表示する共に、指示された宛先に対する状態の変更を指示する操作画面である。ポップアップ画面を表示すると、プロセッサ３１は、ポップアップ画面における操作指示を受け付ける（ＡＣＴ２２）。プロセッサ３１は、Ｅメール用の宛先設定画面上に表示するポップアップ画面においては当該宛先のカテゴリの変更および削除などの状態の変更の指示を受け付ける。
【００３４】
ポップアップ画面において状態の変更が指示された場合（ＡＣＴ５２、ＹＥＳ）、プロセッサ３１は、指示に応じて宛先の状態を変更する（ＡＣＴ５３）。例えば、ポップアップ画面において削除が指示された場合、プロセッサ３１は、当該宛先の登録を解除する。また、ポップアップ画面においてＣｃへの変更が指示された場合、プロセッサ３１は、当該宛先を登録するカテゴリをＣｃの宛先へ変更する。ポップアップ画面においてＢｃｃへの変更が指示された場合、プロセッサ３１は、当該宛先を登録するカテゴリをＢｃｃの宛先へ変更する。ポップアップ画面においてＴｏへの変更が指示された場合、プロセッサ３１は、当該宛先を登録するカテゴリをＴｏの宛先へ変更する。また、ポップアップ画面を閉じることが指示された場合（ＡＣＴ５４、ＹＥＳ）、プロセッサ３１は、ポップアップ画面を閉じて（ＡＣＴ５５）、宛先設定画面を表示する。この場合、プロセッサ３１は、ポップアップ画面で指示された設定を反映した宛先設定画面を表示する。  
また、プロセッサ３１は、宛先設定画面において宛先表示領域Ｒ２のタブ６３ａ〜６３ｃの選択変更を受け付ける（ＡＣＴ５６）。タブ６３ａ〜６３ｃの選択変更、つまり、宛先のカテゴリの変更指示を受けた場合（ＡＣＴ５６、ＹＥＳ）、プロセッサ３１は、指示に応じて表示欄６２及び登録欄６１における宛先の表示を更新する（ＡＣＴ５７）。例えば、タブ６３ａ（６３ｂ、６３ｃ）の選択状態に変更された場合、プロセッサ３１は、表示欄６２及び登録欄６１にＴｏ（Ｃｃ、Ｂｃｃ）の宛先として登録済みの宛先を表示する。また、タブ６３ａ（６３ｂ、６３ｃ）の選択状態に変更された場合、プロセッサ３１は、表示欄６２にＴｏ（Ｃｃ、Ｂｃｃ）の宛先として登録済みの宛先の数を表示する。
【００３５】
また、プロセッサ３１は、宛先設定画面において画面更新の指示を受け付ける（ＡＣＴ５６）。画面更新の指示を受けた場合（ＡＣＴ５８、ＹＥＳ）、プロセッサ３１は、指示に応じて宛先設定画面の表示を更新する（ＡＣＴ５９）。例えば、タブ７１ａ〜７１ｃの選択状態が変更された場合、プロセッサ３１は、入力欄７３の表示画面を変更する。また、選択ボタン７２ａ及び７２ｂの選択状態が変更された場合、プロセッサ３１は、入力欄７３における宛先の表示形式を変更する。また、条件タブの選択状態が変更された場合、プロセッサ３１は、入力欄７３に表示する宛先を変更する。  
また、プロセッサ３１は、宛先設定画面において送信ボタン９２による送信指示を受け付ける（ＡＣＴ６０）。プロセッサ３１は、何れかのカテゴリで、少なくとも１つの宛先が設定された場合に送信ボタン９２を選択可能な状態で表示する。送信ボタン９２が指示された場合（ＡＣＴ６０、ＹＥＳ）、プロセッサ３１は、登録済みの宛先へ電子メールを送信する処理を実行する（ＡＣＴ６１）。例えば、プロセッサ３１は、送信ボタン９２が指示された場合、直にスキャン及びメール送信を開始する。また、プロセッサ３１は、送信ボタン９２の指示に応じて宛先確認画面を表示し、表示した宛先の確認が指示された後に処理を開始するようにしても良い。送信ボタン９２が指示された場合の動作は、ユーザが設定できるようにして良い。
【００３６】
上記のように、実施形態に係る画像処理装置は、登録（選択）済の宛先を表示する登録欄とユーザが宛先を入力する入力欄とを有する宛先設定画面を表示部に表示する。また、実施形態に係る画像処理装置は、登録済の宛先を登録欄に表示すると共に、入力欄における登録済みの宛先を示す表示部位（宛先ボタン又はリスト中の宛先の表示部位）を登録済みであることを示す表示状態とする。この実施形態によれば、登録済みの宛先を確認しつつ、ＦＡＸ或いは電子メールの宛先を入力できる操作性が良いユーザインターフェースを提供できる。  
また、実施形態に係る画像処理装置は、画面に向かって左側の領域に登録欄を配置し、右側の領域に入力欄を配置した宛先設定画面を表示部に表示する。この実施形態によれば、入力欄に対して右手で入力操作を行うユーザにとって操作性が良いユーザインターフェースを提供できる。  
また、実施形態に係る画像処理装置は、登録欄における登録済みの宛先に対する指示を受け付け、登録欄で指示された宛先の入力欄における表示位置を所定位置に移動させる。これにより、登録欄で指示された宛先を入力欄において確認することが容易になり、入力欄でのユーザの操作性が向上する。  
また、実施形態に係る画像処理装置は、電子メールの宛先を設定する宛先設定画面において、宛先のカテゴリ（「Ｔｏ」、「Ｃｃ」、及び「Ｂｃｃ」）を指定するタブキーを登録欄の近傍に配置する。これにより、入力欄で指示する宛先の登録先とするカテゴリをユーザが容易に確認できる。また、登録先とする宛先のカテゴリとして既に登録済みの宛先をユーザが容易に確認できる。
【００３７】
上述した実施形態の画像処理装置のプロセッサが実行するプログラムは、メモリにインストール可能な形式または実行可能な形式のファイルでＣＤ−ＲＯＭ、フレキシブルディスク、ＣＤ−Ｒ、ＤＶＤ（Digital Versatile Disk）等のコンピュータで読み取り可能な記憶媒体に記録されて提供される。また、実施形態のプロセッサが実行するプログラムは、インターネット等のネットワーク経由で提供または配布しても良い。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下、本願の出願当初の特許請求の範囲に記載した内容を付記する。  
［１］
操作画面を表示する表示部と、
前記表示部が表示する操作画面に対する操作指示を検知する検知部と、
登録済みの宛先を表示する宛先表示領域と、登録する宛先を入力するための入力画面を表示する前記宛先表示領域とは異なる宛先入力領域とを有する宛先設定画面を表示部により表示させる制御部と、
を有する画像処理装置。  
［２］
前記宛先入力領域は、前記表示部の表示画面に向かって右側に配置する、
［１］に記載の画像処理装置。  
［３］
前記制御部は、前記宛先表示領域に表示した登録済みの宛先が選択された場合、選択された宛先の状態を変更するためのポップアップ画面を表示する、
［１］又は［２］の何れかに記載の画像処理装置。  
［４］
前記制御部は、前記宛先表示領域に表示した登録済みの宛先のうちの１つが選択された場合、前記選択された宛先が選択可能な表示部位が所定位置になるように前記宛先入力領域の表示を更新する、
［１］乃至［３］の何れかに記載の画像処理装置。  
［５］
前記制御部は、宛先に対して設定可能な複数のカテゴリに対応する複数のタブキーを前記宛先表示領域に表示し、前記宛先入力領域において選択された宛先を前記宛先表示領域に表示される前記複数のタブキーのうち選択状態であるタブキーに対応するカテゴリの宛先として登録する、
［１］乃至［４］の何れかに記載の画像処理装置。
【符号の説明】
【００３９】
１…デジタル複合機（画像処理装置）、１１…スキャナ、１２…プリンタ、１３…システム制御部、１４…コントロールパネル、３１…プロセッサ（制御部）、３４…データメモリ、４４…表示部、４５…タッチパネル（検知部）、３７…ＦＡＸ部、３８…通信部。
【図１】
2020039185.tif 000003
【図２】
2020039185.tif 000004
【図３】
2020039185.tif 000005
【図４】
2020039185.tif 000006
【図５】
2020039185.tif 000007
【図６】
2020039185.tif 000008
【図７】
2020039185.tif 000009
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
操作画面を表示する表示部と、
前記表示部が表示する操作画面に対する操作指示を検知する検知部と、
登録済みの宛先を表示する宛先表示領域と、登録する宛先を入力するための入力画面を表示する前記宛先表示領域とは異なる宛先入力領域とを有する宛先設定画面を表示部により表示させ、前記宛先表示領域に表示した登録済みの宛先のうちの１つが選択された場合に、選択された宛先の詳細な情報を表示すると共に前記選択された宛先を削除するためのポップアップ画面を前記宛先設定画面上に表示する制御部と、
を有する画像処理装置。
【請求項２】
前記宛先入力領域は、前記表示部の表示画面に向かって右側に配置する、
請求項１に記載の画像処理装置。
【請求項３】
前記制御部は、前記ポップアップ画面においてＴｏボタン、Ｃｃボタン、および、Ｂｃｃボタンを表示し、Ｔｏボタンが指示された場合には前記選択された宛先を主たる送信先として登録し、Ｃｃボタンが指示された場合には前記選択された宛先を複写の送信先として登録し、Ｂｃｃボタンが指示された場合には前記選択された宛先を非公開の複写の送信先として登録する、
請求項１又は２の何れか１項に記載の画像処理装置。
【手続補正２】
【補正対象書類名】明細書
【補正対象項目名】０００５
【補正方法】変更
【補正の内容】
【０００５】
実施形態によれば、画像処理装置は、表示部と、検知部と、制御部とを有する。表示部は、操作画面を表示する。検知部は、表示部が表示する操作画面に対する操作指示を検知する。制御部は、登録済みの宛先を表示する宛先表示領域と、登録する宛先を入力するための入力画面を表示する前記宛先表示領域とは異なる宛先入力領域とを有する宛先設定画面を表示部により表示させ、宛先表示領域に表示した登録済みの宛先のうちの１つが選択された場合に、選択された宛先の詳細な情報を表示すると共に選択された宛先を削除するためのポップアップ画面を前記宛先設定画面上に表示する。